(57)【要約】  前記マルチモード端末がネイバーリスト（ｎｅｉｇｈｂｏｒ  ｌｉｓｔ）から多数の基地局をスキャニングする過程と、前記マルチモード端末が前記レガシ基地局から前記ＡＢＳのレガシゾーンにハンドオフを行う過程と、を含み、前記ＡＢＳがレガシ基地局として前記ネイバーリストにある場合、前記多数の基地局は少なくとも前記ＡＢＳを含む。更に、前記マルチモード端末は、前記マルチモード端末或いは前記ＡＢＳによってトリガリングされるゾーンスイッチ要請或いは命令に基づき、前記ＡＢＳのレガシゾーンから前記ＡＢＳのアドバンスドゾーンへとスイッチングする。前記アドバンスドゾーンを支援する前記マルチモード端末或いは前記ＡＢＳの能力を検出した後、前記ゾーンスイッチ要請はトリガされる。
2011527548.tif 000002
【特許請求の範囲】
【請求項１】
マルチモード端末が第１レガシ基地局のセルからレガシゾーン（ｌｅｇａｃｙ  ｚｏｎｅ）とアドバンスドゾーン（ａｄｖａｎｃｅｄ  ｚｏｎｅ）を含む進歩した基地局（Ａｄｖａｎｃｅｄ  Ｂａｓｅ  Ｓｔａｔｉｏｎ：ＡＢＳ）のセルに移動する際、前記マルチモード端末のハンドオフ方法において、
前記マルチモード端末が少なくとも前記ＡＢＳを含むネイバーリスト（ｎｅｉｇｈｂｏｒ  ｌｉｓｔ）から多数の基地局をスキャニングする過程４０２、５０２と、
前記マルチモード端末が前記第１レガシ基地局から前記ＡＢＳの前記レガシゾーンにハンドオフを行う過程４０６、５０８と、
を含むことを特徴とする方法。
【請求項２】
前記マルチモード端末と前記ＡＢＳのうちのいずれかが、前記ＡＢＳの前記レガシゾーンから前記ＡＢＳのアドバンスドゾーンに前記マルチモード端末がスイッチングするためのゾーンスイッチ要請（Ｚｏｎｅ  Ｓｗｉｔｃｈ  ｒｅｑｕｅｓｔ）をトリガリングする過程４０８を更に含むことを特徴とする請求項１に記載の方法。
【請求項３】
前記マルチモード端末がゾーンスイッチ要請をトリガリングする過程は、
前記ＡＢＳのＭＡＣバージョンと前記アドバンスドゾーンのための指示者のうちいずれかを使用し、前記マルチモード端末が前記アドバンスドゾーンを支援する前記ＡＢＳの能力（ｃａｐａｂｉｌｉｔｙ）を検出する過程４１０と、
前記ＡＢＳの能力に基づき、前記マルチモードの端末が前記ゾーンスイッチ要請を前記ＡＢＳ伝送する過程４１２と、
を含むことを特徴とする請求項２に記載の方法。
【請求項４】
前記ＡＢＳのＭＡＣバージョンを使用し、前記マルチモード端末が前記アドバンスドゾーンを支援する前記ＡＢＳの能力を検出する過程は、
前記マルチモード端末が、前記ＡＢＳのＭＡＣバージョンを放送メッセージを介して前記ＡＢＳのレガシゾーンと前記第１レガシ基地局のうちいずれかから受信する過程を含み、
前記ＡＢＳのＭＡＣバージョンは、前記ＡＢＳの能力が前記アドバンスドゾーンを支援することを示すことを特徴とする請求項３に記載の方法。
【請求項５】
前記アドバンスドゾーンのための指示者を使用し、前記マルチモード端末が前記アドバンスドゾーンを支援する前記ＡＢＳの能力を検出する過程は、
ＦＣＨ（Ｆｒａｍｅ  Ｃｏｎｔｒｏｌ  Ｈｅａｄｅｒ）にダウンリンクパラメータ放送を介して前記ＡＢＳのレガシゾーンから前記マルチモード端末が前記アドバンスドゾーンのための指示者を受信する過程を含むことを特徴とする請求項３に記載の方法。
【請求項６】
前記マルチモード端末が前記ＡＢＳから前記スイッチ要請に対する応答メッセージを受信する過程４１８と、
前記ＡＢＳから受信した応答メッセージに基づき、前記マルチモード端末が前記ＡＢＳのレガシゾーンから前記ＡＢＳのアドバンスドゾーンにスイッチングする過程４２０と、  を更に含むことを特徴とする請求項３乃至５に記載の方法。
【請求項７】
前記ＡＢＳが前記ゾーンスイッチ要請をトリガリングする過程は、
前記ＡＢＳが前記マルチモード端末のＭＡＣバージョンを使用し、前記アドバンスドゾーンを支援する前記マルチモード端末の能力を検出する過程４１４と、
前記マルチモード端末の能力に基づき、前記ＡＢＳがゾーンスイッチ命令を前記マルチモード端末に伝送する過程４１６と、を含み、
前記ゾーンスイッチ命令は、スイッチングのための少なくとも一つ以上の情報を含むことを特徴とする請求項２に記載の方法。
【請求項８】
前記ハンドオフを行う前に、
前記マルチモード端末のＭＡＣバージョンを使用し、前記マルチモード端末が前記第１レガシ基地局に前記アドバンスドゾーンを支援する前記マルチモード端末の能力を示す過程５０６と、
前記ハンドオフを遂行した後、
前記ＡＢＳのＭＡＣバージョンと、前記アドバンスドゾーンのための指示者のうちいずれかを使用し、前記マルチモード端末が前記アドバンスドゾーンを支援する前記ＡＢＳの能力を検出する過程５１０と、
前記ＡＢＳの能力に基づき、前記アドバンスドゾーンでレインジングのための一つ以上の情報アイテムを利用し、前記レガシゾーンから前記アドバンスドゾーンにスイッチングする過程５１２と、
を含むことを特徴とする請求項１に記載の方法。
【請求項９】
前記マルチモード端末がネイバーリストから多数の基地局をスキャニングする過程は、
前記マルチモード端末がネイバー広告メッセージ（ｎｅｉｇｈｂｏｒ  ａｄｖｅｒｔｉｓｅｍｅｎｔ  ｍｅｓｓａｇｅ）を介して前記第１レガシ基地局から前記ネイバーリストを受信する過程を含むことを特徴とする請求項８に記載の方法。
【請求項１０】
前記マルチモード端末が前記レガシゾーンからハンドオフを行う過程は、
前記マルチモード端末が前記第１レガシ基地局にハンドオフ要請を伝送する過程と、
前記第１レガシ基地局から前記ハンドオフ要請に対する応答メッセージを受信する過程と、
前記マルチモード端末が前記ＡＢＳのレガシゾーンに同期化される過程と、を含み、
前記応答メッセージは、前記マルチモード端末の能力に基づき、前記ＡＢＳのアドバンスドゾーンでレインジングのための少なくとも一つ以上の情報を含むことを特徴とする請求項８或いは９に記載の方法。
【請求項１１】
前記マルチモード端末が前記ＡＢＳのＭＡＣバージョンを使用し、前記ＡＢＳの能力を検出する過程は、
前記ＡＢＳのレガシゾーン、そして前記第１レガシ基地局のうちから少なくとも一つの放送メッセージを介して前記マルチモード端末が前記ＡＢＳのＭＡＣバージョンを受信する過程と、を含み、
前記ＡＢＳのＭＡＣバージョンは、前記ＡＢＳの能力を示すことを特徴とする請求項８乃至１０のうちいずれかに記載された方法。
【請求項１２】
前記マルチモード端末が、前記ＡＢＳのレガシゾーンからオーバーヘッドメッセージを介して前記ＡＢＳのＭＡＣバージョンを受信することを特徴とする請求項１１に記載の方法。
【請求項１３】
前記マルチモード端末が、前記ＡＢＳのレガシゾーン、そして前記第１レガシ基地局のうちいずれからのネイバー広告メッセージを介し、前記ＡＢＳのＭＡＣバージョンを受信することを特徴とする請求項１１に記載の方法。
【請求項１４】
前記マルチモード端末が前記アドバンスドゾーンのための指示者を使用して前記ＡＢＳの能力を検出する過程は、
前記マルチモード端末が、ＦＣＨに放送されるダウンリングパラメータを介して前記ＡＢＳのレガシゾーンから前記アドバンスドゾーンに対する指示者を受信する過程を含むことを特徴とする請求項８乃至１０のうちいずれかに記載された方法。
【請求項１５】
マルチモード端末がレガシ基地局のセルからレガシゾーンとアドバンスドゾーンを含む進歩した基地局のセルに移動する際、前記マルチモード端末のハンドオフ方法において、
前記ＡＢＳが前記レガシ基地局から前記マルチモード端末のＭＡＣバージョンを受信する過程と、
前記ＡＢＳが前記レガシ基地局からハンドオフ要請を受信する過程と、
前記ＡＢＳが前記ＡＢＳのＭＡＣバージョンを前記レガシ基地局と前記レガシゾーンに放送する過程と、
前記ＡＢＳが前記ハンドオフ要請に対する応答メッセージを前記レガシ基地局に伝送する過程と、を含み、
前記マルチモード端末のＭＡＣバージョンは前記アドバンスドゾーンを支援する前記マルチモード端末の能力を示し、
前記マルチモード端末の能力は前記アドバンスドゾーンを支援し、
前記応答メッセージは前記ＡＢＳが前記マルチモード端末の能力を検出する際、前記アドバンスドゾーンで前記マルチモード端末のレインジングのための少なくともレインジング資源を含むことを特徴とする方法。
【発明の詳細な説明】
【技術分野】
【０００１】
本発明は、混合配置における接続モードの間に端末をハンドオフするための方法に関する。
【背景技術】
【０００２】
近頃、耐えることのないユーザからの要請は、様々な移動広帯域無線アクセス（Ｍｏｂｉｌｅ  Ｂｒｏａｄｂａｎｄ  Ｗｉｒｅｌｅｓｓ  Ａｃｃｅｓｓ：以下、ＭＢＷＡと称する）技術の迅速な開発に貢献している。ユーザが移動中の間における高速のデータサービスに対する要求が増加するにつれ、このような要求を充足させるため、多数のＭＢＷＡ技術がアップグレードされつつある。例えば、モバイルワイマックス（Ｍｏｂｉｌｅ−ＷｉＭａｘ）として広く知られているＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ標準に基づいた初期ＭＢＷＡ技術のうち一つは、ＩＥＥＥ８０２．１６ｍ標準に基づいてアップグレードされている。アップグレードされた又は強化された（ｅｎｈａｎｃｅｄ）ネットワークにおいて、ＩＥＥＥ８０２．１６ｅ標準とＩＥＥＥ８０２．１６ｍ標準を全て支援する基地局（Ｂａｓｅ  Ｓｔａｔｉｏｎ：ＢＳ）を進歩した基地局（Ａｄｖａｎｃｅｄ  Ｂａｓｅ  Ｓｔａｔｉｏｎ：以下、ＡＢＳと称する）と称する。要するに、前記ＡＢＳにおいてレガシ（ｌｅｇａｃｙ）端末（Ｍｏｂｉｌｅ  Ｓｔａｔｉｏｎ：ＭＳ）（即ち、ＩＥＥＥ８０２．１６ｅ標準に従う端末）、マルチモード（ｍｕｌｔｉｍｏｄｅ）端末（即ち、ＩＥＥＥ８０２．１６ｅ／１６ｍ標準に従う端末）、そしてＩＥＥＥ８０２．１６ｍに従う端末の柔軟な機能遂行（ｓｍｏｏｔｈ  ｆｕｎｃｔｉｏｎ）が可能である。
【０００３】
前記マルチモード端末が接続モード（ｃｏｎｎｅｃｔｅｄ  ｍｏｄｅ）にあるとき、前記マルチモード端末はＭＢＷＡ標準の他の改正（ｒｅｖｉｓｉｏｎｓ）に基づいた強化されたネットワークのセル／セクタの間を横切って移動することができる。従来の標準に従って、接続モードにあるマルチモード端末はレガシネットワークのセルから強化されたネットワークのセルに移動し、遷移（ｔｒａｎｓｉｔｉｏｎ）する間通信が中断する恐れがある。また、アイドゥルモード（ｉｄｌｅ  ｍｏｄｅ）又は接続モードにあるマルチモードの端末が、レガシネットワークのセルから強化されたネットワークのセルへと移動を試み、スキャニングする間相当な電力を消費する恐れがある。前記スキャニングは、前記端末が強化されたネットワークのターゲットセルのＡＢＳとの接続を行うために、近くに可能な（ｐｏｔｅｎｔｉａｌ）ターゲットセルの上記ＡＢＳに制御されるレガシゾーンを前記端末が検索する必要があるとき行われる。
【０００４】
更に、従来技術によると、たとえ接続モードにあるマルチモード端末がレガシネットワークのセルから強化されたネットワークのセルへと移動しても、前記マルチモード端末は強化されたネットワークの追加的な特徴を移用することができない。即ち、ハンドオフの後、前記マルチモード端末はＡＢＳのレガシゾーンに接続することができ、ＩＥＥＥ８０２．１６ｅ標準に記述されているレガシネットワークの１６ｅプロトコルを使用するＡＢＳを介してデータサービスを続けることができる。そのようなシステムは、システムの能力（ｃａｐａｂｉｌｉｔｙ）にも関わらず、強化されたネットワークでマルチモード端末の効用（ｕｔｉｌｉｔｙ）を制限する。
【０００５】
従って、本発明の範囲（ｓｃｏｐｅ）は、ＭＢＷＡ標準規格に従った通信システムにおいて、接続モードにあるマルチモード端末がレガシネットワークのセルから強化されたネットワークのセルに移動する際、マルチモード端末のアンドオフ機能を向上させるためのものであると定義する。更に、他の範囲は、端末がレガシネットワークのセルから強化されたネットワークのセルへと移動する際、ハンドオフの後マルチモード端末の機能を向上させることであると定義する。
【０００６】
本発明は、移動広帯域無線アクセスシステムとそれらの進化した改正システム（ｅｖｏｌｖｅｄ  ｒｅｖｉｓｉｏｎｓ）に関するもので、特に、前記移動広帯域無線アクセスシステムとそれらの進化した改正システムにおけるハンドオフに関するものである。
【発明の概要】
【発明が解決しようとする課題】
【０００７】
本発明は、上述した既存技術における制限と短所を除去するか、少なくとも目立つように軽減させる方法を提供するものである。
【課題を解決するための手段】
【０００８】
上記の目的を達成するための本発明の第１見地によると、マルチモード端末が第１レガシ基地局のセルからレガシゾーン（ｌｅｇａｃｙ  ｚｏｎｅ）とアドバンスゾーン（ａｄｖａｎｃｅ  ｚｏｎｅ）を含む進歩した基地局（Ａｄｖａｎｃｅｄ  Ｂａｓｅ  Ｓｔａｔｉｏｎ：ＡＢＳ）のセルへと移動する際、前記マルチモード端末のハンドオフの方法において、前記マルチモード端末が少なくとも前記ＡＢＳを含むネイバーリスト（ｎｅｉｇｈｂｏｒ  ｌｉｓｔ）から多数の基地局をスキャニングする過程と、前記マルチモード端末が前記第１レガシ基地局から前記ＡＢＳの前記レガシゾーンにハンドオフを行う過程と、を含むことを特徴とする。追加的に、前記マルチモード端末がゾーンスイッチ要請をトリガリングする過程は、前記ＡＢＳのＭＡＣバージョンと前記アドバンスドゾーンのための指示者のうち一つを使用し、前記マルチモードの端末が前記アドバンスドゾーンを支援する前記ＡＢＳの能力（ｃａｐａｂｉｌｉｔｙ）を検出する過程と、前記ＡＢＳの能力に基づき、前記マルチモードの端末が前記ゾーンスイッチ要請を前記ＡＢＳに伝送する過程と、を含む。
【０００９】
更に、前記ＡＢＳが前記ゾーンスイッチ要請をトリガリングする過程は、前記ＡＢＳが前記マルチモード端末のＭＡＣバージョンを使用し、前記アドバンスドソーンを支援する前記マルチモード端末の能力を検出する過程と、前記マルチモード端末の能力に基づき、前記ＡＢＳがゾーンスイッチ命令を前記マルチモード端末に伝送する過程と、を含み、前記ゾーンスイッチ命令はスイッチングのための少なくとも一つ以上の情報を含む。
【００１０】
上述した目的を達成するための本発明の第２見地によると、マルチモード端末が第１レガシ基地局のセルからレガシゾーンとアドバンストゾーンを含む進歩した基地局のセルへと移動する際、前記マルチモード端末のハンドオフの方法において、前記マルチモード端末が少なくとも前記ＡＢＳを含むネイバーリストから多数の基地局をスキャニングする過程と、前記マルチモード端末のＭＡＣバージョンを使用し、前記マルチモード端末が前記第１レガシ基地局に前記アドバンスドゾーンを支援する前記マルチモード端末の能力を示す過程と、前記マルチモード端末が前記ＡＢＳのレガシゾーンへとハンドオフを行う過程と、前記ＡＢＳのＭＡＣバージョンと前記アドバンスドゾーンのための指示者のうち一つを使用し、前記マルチモードの端末が前記アドバンスドゾーンを支援する前記ＡＢＳの能力を検出する過程と、前記ＡＢＳの能力に基づき、前記アドバンスドゾーンからレインジングのための一つ以上の情報を利用し、前記レガシゾーンから前記アドバンスドゾーンにスイッチングする過程と、を含むことを特徴とする。
【００１１】
上述した目的を達成するための本発明の第３見地によると、マルチモード端末がレガシ基地局のセルからレガシゾーンとアドバンスドゾーンを含む進歩した基地局のセルに移動する際、前記マルチモード端末のハンドオフの方法において、前記ＡＢＳが前記レガシ基地局から前記マルチモード端末のＭＡＣバージョンを受信する過程と、前記ＡＢＳが前記レガシ基地局からハンドオフ要請を受信する過程と、前記ＡＢＳが前記ＡＢＳのＭＡＣバージョンを前記レガシ基地局と前記レガシゾーンに放送する過程と、前記ＡＢＳが前記ハンドオフ要請に対する応答メッセージを前記レガシ基地局に伝送する過程と、を含み、前記マルチモード端末のＭＡＣバージョンは前記アドバンスドゾーンを支援する前記マルチモード端末の能力を示し、前記マルチモード端末の能力は前記アドバンスドゾーンを支援し、前記応答メッセージは前記ＡＢＳが前記マルチモード端末の能力を検出する際、前記アドバンスドゾーンから前記マルチモード端末のレインジングのための少なくともレインジング資源と、を含むことを特徴とする。
【図面の簡単な説明】
【００１２】
【図１Ａ】図１Ａは、ＤＬ対ＵＬの割合が５：３であるＩＥＥＥ８０２．１６ｅのフレーム構造と、ＩＥＥＥ８０２．１６ｍフレームの構造を示す図である。
【図１Ｂ】図１Ｂは、ＤＬ対ＵＬの割合が５：３であるＩＥＥＥ８０２．１６ｅのフレーム構造と、ＩＥＥＥ８０２．１６ｍフレームの構造を示す図である。
【図２】図２は、本発明によるゾーン概念を有するＩＥＥＥ８０２．１５ｍフレーム構造を示す図である。
【図３】図３は、本発明の実施の形態によるマルチモード端末、サービング基地局、ＡＢＳ，二つのセルが混合配置された無線通信システムの構成を示す図である。
【図４】図４は、本発明の実施の形態による接続モードにあるマルチモード端末がサービングレガシ基地局のセルからＡＢＳのネイバーセルに移動して１６ｍゾーンにハンドオフする際、混合配置におけるハンドオフのための方法を示した図である。
【図５】図５は、本発明の他の実施の形態による接続モードにあるマルチモード端末が、サービングレガシ基地局のセルからＡＢＳのネイバーセルに移動してＡＢＳの１６ｍゾーンにハンドオフする際、混合配置におけるハンドオフのためのフローチャートを示す図である。
【発明を実施するための形態】
【００１３】
以下、本発明の好ましい実施の形態を添付した図面を参照しながら詳細に説明する。そして、本発明を説明するに当たって、関連した公知機能または構成に対する具体的な説明が本発明の要旨を不明確にする恐れがあると判断される場合、その詳細な説明は省略する。そして後述する用語は、本発明における機能を考慮して定義された用語であり、これはユーザー、操作者の意図または慣例などによって異なる可能性がある。従って、その定義は本明細書の全般に関わる内容に基づいてなされるべきである。
【００１４】
以下の説明に当たって、ＩＥＥＥ８０２．１６−２００４に定義されてＩＥＥＥ８０２．１６ｅ−２００５ａｎｄＩＥＥＥ８０２．１６Ｃｏｒ２／Ｄ３標準に改正されたＷｉｒｅｌｅｓｓＭＡＮ−ＯＦＤＭＡ能力（ｃａｐａｂｉｌｉｔｉｅｓ）のサブセットに従うＷｉｒｅｌｅｓｓＭＡＮ−ＯＦＤＭＡ  ｒｅｆｅｒｅｎｃｅ  ｓｙｓｔｅｍ（以下レガシシステム（ｌｅｇａｃｙ  ｓｙｓｔｅｍ）またレガシネットワーク（ｌｅｇａｃｙ  ｎｅｔｗｏｒｋ）と称する）にある基地局をレガシ基地局（ｌｅｇａｃｙ  ＢＳ）と称する。レガシゾーン（ｚｏｎｅ）を介してＷｉｒｅｌｅｓｓＭＡＮ−ＯＦＤＭＡ  ｒｅｆｅｒｅｎｃｅ  ｓｙｓｔｅｍの特徴と機能及び１６ｍゾーンを介してＩＥＥＥ８０２．１６ｍ標準に定義された特徴と機能を支援するＷｉｒｅｌｅｓｓＭＡＮ−ＯＦＤＭＡ  Ｒｅｆｅｒｅｎｃｅ／Ａｄｖａｎｃｅｄ  ｃｏｅｘｉｓｔｉｎｇ  ｓｙｓｔｅｍ（また強化されたシステム（ｅｎｈａｎｃｅｄ  ｓｙｓｔｅｍ）或いは強化されたネットワーク（ｅｎｈａｎｃｅｄ  ｎｅｔｗｏｒｋ）と称する）にある基地局をＡＢＳ（Ａｄｖａｎｃｅｄ  Ｂａｓｅ  Ｓｔａｔｉｏｎ：以下ＡＢＳと称する）と称する。
【００１５】
図１Ａと図１Ｂは、既存の標準に従ったＩＥＥＥ８０２．１６ｅフレーム構造とＩＥＥＥ８０２．１６ｍフレーム構造（ダウンリンク（Ｄｏｗｎｌｉｎｋ：ＤＬ）とアップリンク（Ｕｐｌｉｎｋ：ＵＬ）の割合が５：３であるフレーム）を示す図である。ＩＥＥＥ８０２．１６ｅ標準フレーム構造において、フレーム１０２は５：３（ＤＬ：ＵＬ）割合に基づいてダウンリングサブフレームとアップリングサブフレームに区分される。ＩＥＥＥ８０２．１６ｍ標準フレーム構造１０４は更にレガシ支援（ＩＥＥＥ８０２．１６ｅ標準）も提供する。一つのスーパーフレームは４つのフレームで構成され、一つのフレームは８つのサブフレームで構成され、それぞれのサブフレームは６つのＯＦＤＭ（Ｏｒｔｈｏｇｏｎａｌ  Ｆｒｅｑｕｅｎｃｙ  Ｄｉｖｉｓｉｏｎ  Ｍｕｌｉｐｌｅｘｉｎｇ）シンボルで構成される。
【００１６】
図２は、フレームのＤＬとＵＬ部分（ｐｏｒｔｉｏｎ）がレガシゾーンと１６ｍゾーンに区分されるゾーン概念（ｚｏｎｅ  ｃｏｎｃｅｐｔ）を有するＩＥＥＥ８０２．１６ｍフレーム構造２０２を示す図である。フレームのＤＬ部分はレガシゾーンと１６ｍゾーンは時間で区分され、一方フレームのＵＬ部分はレガシゾーンと１６ｍゾーンが時間或いは周波数で区分されても良い。ＡＢＳ下で、ＩＥＥＥ８０２．１６ｅ標準に従う端末はレガシゾーンで支援され、ＩＥＥＥ８０２．１６ｍ標準に従う端末は１６ｍゾーンで支援される。レガシゾーンと１６ｍゾーンの大きさは固定されているのではなく、フレームの間（ｆｒｏｍ  ｆａｒｍｅ  ｔｏ  ｆｒａｍｅ）で変わっても良い。
【００１７】
図３は、本発明の実施の形態による無線通信システム３０２の混合配置（ｍｉｘｅｄ  ｄｅｐｌｏｙｍｅｎｔ）におけるサービングレガシ基地局３０８、マルチモード端末３１０、ＡＢＳ３１６、そして２つのネイバーセル３０４、３０６で構成された典型的な環境を示す図である。しかし、前記典型的な環境は、前記図３に制限されなければ具現によって変更されてもよい。前記混合配置は、レガシ基地局３０８（レガシネットワーク）或いはＡＢＳ３１６（強化されたネットワーク）を支援する共存するネイバーセル（３０４、３０６のように）を有するように配置することを意味する。前記ＡＢＳは、レガシゾーン３２０と１６ｍゾーン３２２を構成する。ＩＥＥＥ８０２．１６ｅ／１６ｍ標準に基づいたＭＢＷＡシステムは、マルチモード端末がＭＢＷＡ標準の他の改正を支援するセルから形成されたＭＢＷＡネットワークを横切って移動する際、接続モードにおいてマルチモード端末の移動性の間シナリオを図示するための例として使用される。しかし、前記環境は、異なる標準に基づいたある異なるＭＢＷＡシステムからでも構成され、これは本発明の範囲（ｓｃｏｐｅ）に該当する。
【００１８】
図３の環境を考慮し、接続モードにあるマルチモード端末３１０はサービングレガシ基地局３０８（レガシシステム）のセル３０４からＡＢＳ３１６（強化されたネットワーク）のセル３０６に移動する際、接続が中断されなくするために、マルチモード端末３１０のハンドオフが必要となる。前記サービングレガシ基地局３０８に登録されているマルチモード端末３１０は、１６ｅ端末のように１６ｅプロトコル（ＩＥＥＥ８０２．１６ｅ標準に定義されているもの）を利用して前記サービングレガシ基地局３０８と通信する。関連したシナリオとして、図３の典型的な環境を使用して本発明の多様な実施の形態を以下で説明する。
【００１９】
図４は、本発明の実施の形態により、接続モードにあるマルチモード端末３１０がサービングレガシ基地局３０８のセル３０４から強化されたシステムのネイバーターゲットセル（即ち、ＡＢＳ３１６のネイバーせる３０６）に移動してＡＢＳ３１６のレガシゾーン３２０から１６ｍゾーン３２２にスイッチングする際、混合配置におけるハンドオフのための方法を示す図である。
【００２０】
移動する間、マルチモード端末３１０はステップ４０２で周期的にそれらのサービングレガシ基地局３０８を介して分かるネイバーリスト（ｌｉｓｔ  ｏｆ  ｎｅｉｇｈｂｏｒｉｎｇ  ＢＳｓ或いはｎｅｉｇｈｂｏｒｉｎｇ  ＢＳ  ｌｉｓｔ）から全てのネイバー基地局を検索する（ｓｃａｎ）。サービングレガシ基地局３０８は、ステップ４０４でレガシ基地局として燐接するＡＢＳを報告することで、前記ネイバーリストはサービングセル３０４に燐接するあるＡＢＳを含む全てのネイバー基地局を含む。従って、本発明のシナリオにおいて、前記ネイバーリストはレガシ基地局としてネイバーＡＢＳ３１６を含む。そういう接近法（ａｐｐｒｏａｃｈ）は、現在環境のレガシゾーン３２０のように、ハンドオフの間近くに支援するネットワークを検索するため、マルチモード端末３１０によるブラインドスキャニング（ｂｌｉｎｄ  ｓｃａｎｎｉｎｇ）のための要求を軽減させることにより、相当な電力節減することができる。マルチモード端末３１０は、放送メッセージ或いはネイバー広告メッセージ（ｎｅｉｇｈｂｏｒ  ａｄｖｅｒｔｉｓｅｍｅｎｔ  ｍｅｓｓａｇｅ：ＮＢＲ＿ＡＤＶ＿ＭＳＧ）を介してサービングレガシ基地局３０８から前記ネイバーリストを受信する。
【００２１】
次に、ＡＢＳ３１６のサービスセル３０６の中に移動する際、接続モードにあるマルチモード端末３１０は、ステップ４０６でＡＢＳ３１６のレガシゾーン３２０に接続するため３１２、レガシハンドオフ手続き（１６ｅハンドオフ手続き）を使用してハンドオフを行う。
【００２２】
しかし、このステップでネイバーセル３０６が、ＡＢＳ３１６もまた１６ｍプロトコルを支援するということを認知できないマルチモード端末３１０は、１６ｍプロトコルを支援するマルチモード端末３１０の能力にも関わらず、ハンドオフの後ＡＢＳ３１６のレガシゾーン３２０に接続することになる。従って、このステップでマルチモード端末３１０とＡＢＳ３１６の間におけるデータサービスはレガシシステムの１６ｅプロトコルを使用し続けることになる。この時点で、ステップ４０８でマルチモード端末３１０がなお接続モードにあるとき、マルチモード端末３１０をレガシゾーン３２０から１６ｍゾーン３２２にスイッチングするためのゾーンスイッチ要請（Ｚｏｎｅ  Ｓｗｉｔｃｈ  ｒｅｑｕｅｓｔ）がトリガリングされる。前記ゾーンスイッチ要請は、ステップ４０８でマルチモード端末３１０或いはＡＢＳ３１６によってトリガリングされてもよい。
【００２３】
図４に示したように、前記方法に従って、前記ゾーンスイッチ要請はマルチモード端末３１０によってトリガリングされ、マルチモード端末３１０は、まずステップ４１０でＡＢＳ３１６が１６ｍプロトコルを支援できるＡＢＳ３１６の能力を検出する（ｄｅｔｅｃｔ）。ＭＡＣバージョンが基地局或いはＡＢＳ形態のタイプによって区別される際、マルチモード端末３１０はステップ４１０でＡＢＳ３１６のＭＡＣ（Ｍｅｄｉｕｍ  Ａｃｃｅｓｓ  Ｃｏｎｔｒｏｌ）バージョンを使用するＡＢＳ３１６の能力を検出する。マルチモード端末３１０は、レガシゾーン３２０或いはサービングレガシ基地局３０８からの放送メッセージを介してＡＢＳ３１６のＭＡＣバージョンを受信する。マルチモード端末３１０は、またＡＢＳ３１６のレガシゾーン３２０からのオーバーヘッドメッセージを介してＡＢＳ３１６のＭＡＣバージョンを受信することができる。ＡＢＳ３１６は放送される他のＤＬパラメータと共にそれらのＭＡＣバージョンを送ることができる際、マルチモード端末３１０もまたサービングレガシ基地局３０８或いはＡＢＳ３１６のレガシゾーンからのネイバー広告メッセージ（ＮＢＲ＿ＡＤＶ＿ＭＳＧ）を介してＡＢＳ３１６のＭＡＣバージョンを受信することができる。例えば、ＡＢＳ３１６はＤＣＤ（Ｄｏｗｎｌｉｎｋ  Ｃｈａｎｎｅｌ  Ｄｅｓｃｒｉｐｔｏｒ）パラメータ或いはＢＣＨ（Ｂｒｏａｄｃａｓｔ  Ｃｈａｎｎｅｌ）サブパケットの中にそれらのＭＡＣバージョンを送ることができるのである。ＡＢＳ３１６のＭＡＣバージョンはステップ４０２のようにハンドオフの前にマルチモード端末３１０によって受信されてもよい。ある１６ｍ規格に従う端末に対してターゲットされたある指示を読み出してデコーディングする能力を有するマルチモード端末３１０は、前記メッセージをデコーディングして受信されたＡＢＳのＭＡＣバージョンを使用してＡＢＳの能力を検出する。ＡＢＳ３１６の能力の検出或いは確認を容易にするために、ＭＡＣバージョンは以下の３つの場合にＡＢＳ３１６に割り当てられる。
１．基地局がＩＥＥＥ８０２．１６ｅ標準のみを支援する場合
２．基地局がＩＥＥＥ８０２．１６ｍ標準のみを支援する場合、或いは
３．基地局がＩＥＥＥ８０２．１６ｅとＩＥＥＥ８０２．１６ｍ標準を支援する場合、例えば、ＭＡＣバージョン９はＡＢＳはＩＥＥＥ８０２．１６ｅとＩＥＥＥ８０２．１６ｍ標準を両方とも支援することを示す。
【００２４】
ここで、３つ目の基準に該当するユニーク（ｕｎｉｑｕｅ）ＭＡＣバージョンはＡＢＳ３１６に割り当てられる。マルチモード端末３１０は、また１６ｍゾーン３２２のための指示者を使用し、ＡＢＳ３１６の能力を検出することができる（ステップ４１０）。マルチモード端末３１０は、ＦＣＨ（Ｆｒａｍｅ  Ｃｏｎｔｒｏｌ  Ｈｅａｄｅｒ）のなかに放送されるＤＬパラメータを介してレガシゾーン３２０からの１６ｍゾーン３２２のための指示者を受信する。ここで、ＡＢＳ３１６は１６ｍゾーン指示者としてＦＣＨの中に受信されたビートを使用し、１６ｍゾーン３２２を支援するということをレガシゾーンで指示する。ステップ４１０でＡＢＳ３１６がまた１６ｍゾーンを支援するということを検出したマルチモード端末３２０は、ステップ４１２でゾーンスイッチ要請をＡＢＳ３１６或いは実際のＡＢＳ３１６のレガシゾーン３２０に伝送する。前記ゾーンスイッチ要請は、ステップ４１２でレインジング要請（ＲＮＧ＿ＲＥＱ）メッセージを使用し、マルチモード端末３１０によって伝送される。前記ゾーンスイッチ要請もまた、ゾーンスイッチ要請に対するレインジング要請メッセージの中にレインジング目的指示者（ｒａｎｇｉｎｇ  ｐｕｒｐｏｓｅ  ｉｎｄｉｃａｔｅ）が設定されて伝送される。
【００２５】
次に、マルチモード端末３１０は、ステップ４１８でＡＢＳ３１６から伝送されたゾーンスイッチ要請に対する応答を受信する。マルチモード端末３１０は、ステップ４２０で受信した応答がゾーンをスイッチングするためのどういう情報を伝送するかによってレガシゾーン３２０から１６ｍゾーンにスイッチングする。もしターゲットＡＢＳ３１６がマルチモード端末３１０から受信されたゾーンスイッチ要請を受け入れれば、そのときＡＢＳ３１６は応答からゾーンスイッチＴＬＶ（Ｔｙｐｅ  Ｌｅｎｇｔｈ  Ｖａｌｕｅ）のようなゾーンをスイッチングするための情報或いはパラメータを含む。ＡＢＳ３１６がレインジング応答メッセージを使用して応答を伝送する。接続モードにあるマルチモード端末３１０は、ＩＥＥＥ８０２．１６ｍ標準に定義された１６ｍプロトコルを使用するそれらの１６ｍゾーン３２２を介し、データサービスに対してＡＢＳ３１６と共に伝送接続（ｔｒａｎｓｐｏｒｔ  ｃｏｎｎｅｃｔｉｏｎ）を続ける。マルチモード端末３１０は、ゾーンスイッチＴＬＶに受信されたパラメータを使用してターゲットＡＢＳ３１６の１６ｍフレームに同期される。ゾーンスイッチＴＬＶは、フレームオフセット２０４（図２参照）と同じ情報、そして１６ｍゾーンのプリアンブル情報を含む。フレームオフレットはレガシフレームから１６ｍフレームのスタート地点を示すオフセットであり、一方プリアンブル情報は、１６ｍゾーン３２２に伝送されるプリアンブルを識別する情報である。マルチモード端末３１０はその際１６ｍゾーン３２２にネットワーク進入を行う。
【００２６】
図４に示したように、前記の方法に従って、ハンドオフの後に前記ゾーンスイッチ要請は前記ＡＢＳ３１６によってトリガされる。前記ＡＢＳ３１６は、まずステップ４１４で前記マルチモード端末３１０が１６ｍプロトコルを支援できる前記マルチモード端末３１０の能力を検出する。前記ＡＢＳ３１６は、ステップ４１４で前記マルチモード端末のＭＡＣバージョンを使用し、前記マルチモード端末３１０の能力を検出する。ここで、前記ＡＢＳ３１６は、ハンドオフの前にバックホールネットワークを介して前記サービングレガシ基地局３１０から、或いはシグナリングメッセージを介して前記マルチモード端末３１０から、前記マルチモード端末３１０のＭＡＣバージョンを受信することができる。前記マルチモード端末３１０の能力の検出或いは識別を容易にするために、ＭＡＣバージョンが以下の３つの場合に前記マルチモード端末３１０に割り当てられる。
１．基地局がＩＥＥＥ８０２．１６ｅ標準のみを支援する場合
２．基地局がＩＥＥＥ８０２．１６ｍ標準のみを支援する場合、或いは
３．基地局がＩＥＥＥ８０２．１６ｅとＩＥＥＥ８０２．１６ｍ標準を支援する場合、例えば、ＭＡＣバージョン９はＡＢＳがＩＥＥＥ８０２．１６ｅとＩＥＥＥ８０２．１６ｍ標準を両方とも支援することを示す。
【００２７】
この場合、３つ目の基準に該当するユニークＭＡＣバージョンは端末３１０に割り当てられる。ステップ４１４で前記マルチモード端末３１０が１６ｍゾーン３２２を支援することを検出したＡＢＳ３１６は、ステップ４１６でゾーンスイッチ命令を前記マルチモード端末３１０に伝送する。前記ゾーンスイッチ命令は、ステップ４１６で命令シグナリング或いはレインジング応答メッセージを使用し、前記ＡＢＳ３１６によって伝送される。前記ゾーンスイッチ命令は、前記レガシゾーン３２０において、前記１６ｍゾーン３２２へと前記マルチモード端末３１０のゾーンをスイッチングするための情報やパラメータを伝送する。前記ゾーンスイッチング命令は、フレームオフセット２０４（図２に示したように）、そして１６ｍゾーンのプリアンブル情報のような情報を含む。前記マルチモード端末３１０は、ステップ４１８でゾーンスイッチ命令を前記ＡＢＳ３１６から受信する。前記マルチモード端末３１０は、ステップ４２０で前記ＡＢＳ３１６から受信した情報或いはパラメータを使用して前記レガシゾーン３２０から前記１６ｍゾーン３２２へとスイッチングする。スイッチングのための前記情報或いはパラメータは、ゾーンスイッチＴＬＶを介して受信されてもよい。前記マルチモード端末３１０は、ステップ４２０でゾーンスイッチＴＬＶの中に受信された１６ｍゾーン３２２の前記情報或いは前記パラメータを使用し、前記レガシゾーン３２０から前記１６ｍゾーン３２２にスイッチングする。接続モードにある前記マルチモード端末３１０は、ＩＥＥＥ８０２．１６ｍ標準に定義されている１６ｍプロトコルを使用し、それらの１６ｍゾーン３２２を介して前記ＡＢＳ３１６とデータサービスのための伝送接続を続ける。前記マルチモード端末３１０は、ゾーンスイッチＴＬＶに受信されたパラメータを使用してターゲットＡＢＳ３１６の１６ｍフレームに同期される。前記マルチモード端末３１０は、１６ｍゾーン３２２の中でネットワーク進入を行う。
【００２８】
図５は、本発明の更に他の実施の形態による混合配置におけるハンドオフの方法を示す図である。ここで、接続モードにある前記マルチモード端末３１０がサービングレガシ基地局３０８のセルからＡＢＳ３１６のネイバーセルに移動し、ＡＢＳ３１６の１６ｍゾーンにハンドオフする。前記マルチモード端末３１０は、ネイバーターゲットセル３０６からレガシゾーン３２０へのハンドオフなしにすぐ１６ｍゾーン３２２にハンドオフを行うための方法を提供する。移動（ｍｏｂｉｌｉｔｙ）の間、前記マルチモード端末３１０は、ステップ５０２で周期的にそれらのレガシ基地局３０８によって広告されるネイバーリストから集めた全てのネイバー基地局をスキャンする。前記サービングレガシ基地局３０８がステップ５０４でレガシ基地局へのネイバーＡＢＳを報告する際、前記ネイバーリストはサービングセル３０４の近くに存在するあるＡＢＳを含んだ全てのネイバー基地局で構成される。従って、本発明のシナリオにおいて、前記ネイバーリストはレガシ基地局でネイバーＡＢＳ３１６を含む。このような接近法はハンドオフの間近くに本発明で具現されるレガシゾーン３２０のように、支援するネットワークを検索するための前記マルチモード端末３１０によるブラインドスキャニングの必要性が軽減されることにより、相当な量の電力を節約することができる。前記マルチモード端末３１０は、放送メッセージ或いはネイバー広告メッセージを介して前記サービングレガシ基地局３０８から前記ネイバーリストを受信する。前記マルチモード端末３１０は、ステップ５０６で１６ｍを支援するそれらの能力を前記サービングレガシ基地局３０８に示す。前記能力は前記マルチモード端末３１０のＭＡＣバージョンを使用することで示される。
【００２９】
前記マルチモード端末３１０は、ステップ５０８でハンドオフ（或いはネットワーク再進入）を行う。前記マルチモード端末３１０によるハンドオフの方法は、まず前記マルチモード端末３１０がハンドオフ要請（例：ＭＯＢ＿ＭＳＨＯ＿ＲＥＱ或いはＭＯＢ＿ＳＣＮ＿ＲＰＴ）を前記サービングレガシ基地局３０８に伝送することで始まる。前記ハンドオフ要請は、前記マルチモード端末３１０がハンドオフを願う前記ターゲット基地局（即ち、ＡＢＳ３１６）のレガシゾーン３２０に対する情報を含む。前記サービングレガシ基地局３０８は、ハンドオフ要請を前記ＡＢＳ３１６に伝送する。前記サービングレガシ基地局３０８もまた、バックホールネットワークを介して前記マルチモード端末３１０のＭＡＣバージョンを前記ＡＢＳ３１６に伝送する。前記サービングレガシ基地局３０８は、前記マルチモード端末３１０に転送される前記ハンドオフ要請に対する応答を受信する。前記マルチモード端末３１０は、前記サービングレガシ基地局３０８を介して前記ハンドオフ要請に対する応答を前記ＡＢＳ３１６から受信する。前記マルチモード端末３１０は、ターゲットＡＢＳ３１６のレガシゾーン３２０（或いは１６ｅフレーム）に同期され、前記ＡＢＳ３１６のレガシゾーン３２０で放送されるＤＬ／ＵＬ放送パラメータを獲得する。
【００３０】
しかし、ターゲットネイバーセルの前記ＡＢＳ３１６が受信された前記マルチモード端末３１０のＭＡＣバージョンを介して検出されることができる場合、前記サービングレガシ基地局３０８にハンドオフ要請に対する応答メッセージを伝送する間、前記ＡＢＳ３１６は１６ｍゾーンでレインジング（専用のレインジング資源）のための情報或いはパラメータを応答メッセージに含む。前記マルチモード端末３１０のＭＡＣバージョンは、ハンドオフを要請する前記マルチモード端末３１０は１６ｍプロトコルを支援するか否かを示す。従って、それらのハンドオフ要請に対する前記応答メッセージを受信する前記マルチモード端末３１０は、また１６ｍゾーン３２２におけるレインジングのための情報或いはパラメータを受信する。１６ｍゾーン３２２におけるレインジングのための情報を受信した後、前記マルチモード端末３１０は一般的なネットワーク状態によって１６ｍゾーン３２２へとスイッチングするか否かを決定してもよい。前記マルチモード端末３１０は、一般的なネットワーク状態によって１６ｍゾーン３２２へとスイッチングするか否かを決定することができる。前記マルチモード端末３１０は、ステップ５１０で前記サービングレガシ基地局３０８から受信された前記ＡＢＳ３１６のＭＡＣバージョン或いは１６ｍゾーン３２２のための指示者を使用し、前記ＡＢＳ３１６が１６ｍプロトコルを支援する前記ＡＢＳ３１６の能力を検出する（或いは前記ＡＢＳ３１６を識別する）。前記ＡＢＳ３１６のＭＡＣバージョンは、前記サービングレガシ基地局３０８からのネットワーク放送メッセージを介して、或いは他の適切なシグナリングを介して、前記マルチモード端末３１０によって受信されてもよい。
【００３１】
前記マルチモード端末３１０は、ステップ５１２でＡＢＳ３１６の能力を検出し、１６ｍゾーン３２２にスイッチし、前記ＡＢＳ３１６に代わって、前記サービングレガシ基地局３０８から受信したレインジング資源を使用して１６ｍゾーン３２２でレインジングを行う。
【００３２】
一方、本発明の詳細な説明では具体的な実施の形態について説明したが、本発明の範囲を逸脱しない範囲内で様々な変形が可能であることは勿論である。従って、本発明の範囲は、説明された実施の形態に限って決められてはならず、後述する特許請求の範囲だけでなく、この特許請求の範囲と均等なものによって決められるべきである。
【００３３】
上述したように、ハンドオーバの際レガシゾーンから１６ｍゾーンへとスイッチングすることで、１６ｅ接続のＱｏＳに比べより良いＱｏＳを有する（ＩＥＥＥ８０２．１６ｍ接続が１６ｅ接続より優れている）。更に、ネットワークがネットワークの負荷によって強化されたシステムの適切なゾーンに１６ｅ端末と１６ｍ端末が置かれるようにする機会があるため、ネットワーク資源を効率的に管理することができる。
【符号の説明】
【００３４】
３０８  サービングレガシ基地局
３１０  マルチモード端末
３１６  ＡＢＳ
３２０  レガシゾーン
３２２  １６ｍゾーン
【図１Ａ】
2011527548.tif 000003
【図１Ｂ】
2011527548.tif 000004
【図２】
2011527548.tif 000005
【図３】
2011527548.tif 000006
【図４】
2011527548.tif 000007
【図５】
2011527548.tif 000008
【国際調査報告】
2011527548.tif 000009
2011527548.tif 000010